(57)【特許請求の範囲】
【請求項１】
ヘッドパイプから後方かつ下方に延びるメインフレーム（４）と、
前記メインフレームの下方に位置するエンジン（５）と、
前記メインフレームを挟んで前記エンジンの後方に位置するエアクリーナ（６）と、
前記エンジン（５）及び前記エアクリーナ（６）間を接続する吸気通路（１６）と、
前端部が前記メインフレーム（４）の中間部に接続されているプレス加工を用いて形成されたシートフレーム（１２）とを備える自動二輪車であって、
前記メインフレーム（４）は、
プレス加工で形成された左メインプレート（１９）及び右メインプレート（２０）であって、前端部から中間部にわたって相互に接合されて前部中空部を形成しており、かつ中間部から後端部にかけて相互に分離している左メインプレート（１９）及び右メインプレート（２０）と、
前記左メインプレート（１９）の中間部から後端部にかけて車幅方向内側に接合されていて、前記前部中空部から連続した後部左中空部を該左メインプレート（１９）との間で形成している左メイン下部プレート（２２）と、
前記右メインプレート（２０）の中間部から後端部にかけて車幅方向内側に接合されていて、前記前部中空部から連続した後部右中空部を該右メインプレート（２０）との間で形成している右メイン下部プレート（２３）とを備え、
前記吸気通路（１６）は、前記左メイン下部プレート（２２）と前記右メイン下部プレート（２３）との間を通るように配置されており、
前記シートフレーム（１２）は、左外側シートプレート（２８）及び右外側シートプレート（２９）並びにこれらの前半部の内側にそれぞれ接合された左前内側プレート（３０）及び右前内側プレート（３２）を有しており、
前記左前内側プレート（３０）及び右前内側プレート（３２）の前端部の内側には、これらを連結する主クロスプレート（３５ａ）の両端縁が接続されており、
前記メインフレーム（４）の中間部に前記シートフレーム（１２）の前端部が接続している部分は、前記左メインプレート（１９）と前記右メインプレート（２０）とが相互に接合している部分の後端よりも前方に位置する部分を有することを特徴とする自動二輪車。
【請求項２】
前記左メイン下部プレート（２２）及び前記右メイン下部プレート（２３）は、相互に別体のプレート材で形成されたものであることを特徴とする請求項１に記載の自動二輪車。
【請求項３】
エンジン（５）の後部には貫通孔を有する取付部が設けられており、
前記メインフレーム（４）の左右の後端部には、それぞれ左右方向に長いボルト孔を有する円筒状部材（２６，２７）が取り付けられており、
該左右の円筒状部材（２６，２７）及びこれらの間に配置される前記取付部の貫通孔に通されるボルトにより前記エンジン（５）の後部が支持されており、
前記左右の円筒状部材（２６，２７）と前記シートフレーム（１２）の中間部との間にパイプフレームとしての左右のサブフレーム（４０，４１）がそれぞれ取り付けられており、
前記左右の円筒状部材（２６，２７）に対する前記左右のサブフレーム（４０，４１）の取付けは、該左右のサブフレーム（４０，４１）の各端部を該左右の円筒状部材（２６，２７）の各側面にそれぞれ溶接することにより行われていることを特徴とする請求項１又は２に記載の自動二輪車。
【発明の詳細な説明】
【技術分野】
【０００１】
本発明は、ヘッドパイプから延びたメインフレームを備える自動二輪車に関する。
【背景技術】
【０００２】
従来、車体の骨格を構成する車体フレームを、プレスフレームで構成した自動二輪車が知られている（例えば、特許文献１参照）。プレスフレームは、金属板材料をプレス加工して中空に形成したフレームである。
【０００３】
特許文献１の自動二輪車においては、車体フレームは、ステアリングロッドを支持するヘッドパイプから車体の後端部近傍まで延びたメインフレームと、その中間部から後方かつ下方に延びたミドルメンバとを備え、いずれもプレスフレームにより構成される。この自動二輪車の気化器及びエンジンは、ミドルメンバの前方に配置され、ミドルメンバの後方に、気化器に接続したエアクリーナが配置される。
【０００４】
なお、この自動二輪車の車体フレームにおけるヘッドパイプからメインフレームの中間部までの部分及びミドルメンバの部分が、本願発明におけるメインフレームに対応する部分である。
【先行技術文献】
【特許文献】
【０００５】
【特許文献１】特開２０００−９５１７０号公報
【発明の概要】
【発明が解決しようとする課題】
【０００６】
しかしながら、上記特許文献１の自動二輪車のように、エンジン及びエアクリーナが、プレスフレームであるミドルメンバを挟んでその前後に配置される場合、エンジン及びエアクリーナ間の吸気通路はミドルメンバを迂回するようにして配置される。このような吸気通路は、ミドルメンバを迂回している分だけ、屈曲し、長くなるので、エンジンの吸気効率に影響を与えるおそれがある。
【０００７】
本発明の目的は、かかる従来技術の課題に鑑み、車体フレームがプレスフレームで構成される自動二輪車において、吸気効率を向上させることにある。
【課題を解決するための手段】
【０００８】
本発明の自動二輪車は、ヘッドパイプから後方かつ下方に延びるメインフレーム（４）と、前記メインフレームの下方に位置するエンジン（５）と、前記メインフレームを挟んで前記エンジンの後方に位置するエアクリーナ（６）と、前記エンジン（５）及び前記エアクリーナ（６）間を接続する吸気通路（１６）と、前端部が前記メインフレーム（４）の中間部に接続されているプレス加工を用いて形成されたシートフレーム（１２）とを備える自動二輪車であって、前記メインフレーム（４）は、プレス加工で形成された左メインプレート（１９）及び右メインプレート（２０）であって、前端部から中間部にわたって相互に接合されて前部中空部を形成しており、かつ中間部から後端部にかけて相互に分離している左メインプレート（１９）及び右メインプレート（２０）と、前記左メインプレート（１９）の中間部から後端部にかけて車幅方向内側に接合されていて、前記前部中空部から連続した後部左中空部を該左メインプレート（１９）との間で形成している左メイン下部プレート（２２）と、前記右メインプレート（２０）の中間部から後端部にかけて車幅方向内側に接合されていて、前記前部中空部から連続した後部右中空部を該右メインプレート（２０）との間で形成している右メイン下部プレート（２３）とを備え、前記吸気通路（１６）は、前記左メイン下部プレート（２２）と前記右メイン下部プレート（２３）との間を通るように配置されており、前記シートフレーム（１２）は、左外側シートプレート（２８）及び右外側シートプレート（２９）並びにこれらの前半部の内側にそれぞれ接合された左前内側プレート（３０）及び右前内側プレート（３２）を有しており、前記左前内側プレート（３０）及び右前内側プレート（３２）の前端部の内側には、これらを連結する主クロスプレート（３５ａ）の両端縁が接続されており、前記メインフレーム（４）の中間部に前記シートフレーム（１２）の前端部が接続している部分は、前記左メインプレート（１９）と前記右メインプレート（２０）とが相互に接合している部分の後端よりも前方に位置する部分を有することを特徴とする。
【０００９】
第１発明によれば、吸気通路が、左メイン下部プレートと右メイン下部プレートとの間を通るように配置されているので、吸気通路を、従来のようにメインフレームを迂回するように設ける場合に比べて、直線的に構成することができる。したがって、エンジンの吸気効率を向上させることができる。
【００１０】
第２発明に係る自動二輪車は、第１発明において、前記左メイン下部プレート（２２）及び前記右メイン下部プレート（２３）は、相互に別体のプレート材で形成されたものであることを特徴とする。
【００１１】
第２発明によれば、左メイン下部プレート及び右メイン下部プレートが別体のプレート材で形成されるので、左メイン下部プレート及び右メイン下部プレートを１枚のプレート材を屈曲させて一体物として形成する場合に比べて、これらをプレス加工で形成する場合の金型を小型に構成することができる。
【００１２】
また、左メイン下部プレート及び右メイン下部プレートの形成に使用する各プレート材に対してメインフレーム中間部の二股に分かれた部分に対応する曲げ加工を施す際には、各プレート材のそれぞれに、対応する範囲にだけ曲げ加工を施せばよい。したがって、左メイン下部プレート及び右メイン下部プレートを１枚のプレート材で形成する場合に比べて、必要な曲げ加工を容易に施すことができる。
【００１３】
第３発明に係る自動二輪車は、第１又は第２発明において、エンジン（５）の後部には貫通孔を有する取付部が設けられており、前記メインフレーム（４）の左右の後端部には、それぞれ左右方向に長いボルト孔を有する円筒状部材（２６，２７）が取り付けられており、該左右の円筒状部材（２６，２７）及びこれらの間に配置される前記取付部の貫通孔に通されるボルトにより前記エンジン（５）の後部が支持されており、前記左右の円筒状部材（２６，２７）と前記シートフレーム（１２）の中間部との間にパイプフレームとしての左右のサブフレーム（４０，４１）がそれぞれ取り付けられており、前記左右の円筒状部材（２６，２７）に対する前記左右のサブフレーム（４０，４１）の取付けは、該左右のサブフレーム（４０，４１）の各端部を該左右の円筒状部材（２６，２７）の各側面にそれぞれ溶接することにより行われていることを特徴とする。
【００１４】
第３発明によれば、円筒状部材にボルトを通してエンジンの後部を支持できるので、メインフレームに対してエンジンの後部を支持するためのエンジンハンガを設けるのを不要とすることができる。
【００１６】
また、サブフレームが、シートフレームとは別体のパイプフレームで構成されるので、シートフレーム自体は、プレート材をほぼ直線状に剪断して形成することができる。したがって、サブフレームを、シートフレームから二股状に分岐した部分としてシートフレームと一体的に剪断して形成する場合に比べて、プレート材のプレス加工時に生じる廃材を減少させることができる。
【図面の簡単な説明】
【００１７】
【図１】本発明の一実施形態に係る自動二輪車の要部を示す正面図である。
【図２】図１の自動二輪車の車体フレームの正面図である。
【図３】図２の右側面図である。
【図４】図２の平面図である。
【図５】図２のフレームにおけるダウンフレームの下端部を示す斜視図である。
【図６Ａ】図５のダウンフレームの下端部を左方から見た様子を示す図（左側面図）である。
【図６Ｂ】図５のダウンフレームの下端部を前方から見た様子を示す図（正面図）である。
【図７】図６ＡのVII−VII断面矢視図である。
【図８】図６ＡのVIII−VIII断面矢視図である。
【図９】図６ＡのIX−IX断面矢視図である。
【発明を実施するための形態】
【００１８】
以下、図面を用いて本発明の実施形態を説明する。図１に示すように、実施形態の自動二輪車１は、操舵ロッド２を支持するヘッドパイプ３から後方かつ下方に延びるメインフレーム４と、メインフレーム４の下方に位置するエンジン５と、メインフレーム４を挟んでエンジン５の後方に位置するエアクリーナ６と、ヘッドパイプ３から下方に延びるダウンフレーム７とを備える。
【００１９】
自動二輪車１の前輪８は、操舵ロッド２に固定されたフロントフォーク９により支持される。フロントフォーク９の回転軸線は、ヘッドパイプ３の中心軸線に対してオフセットされている。
【００２０】
自動二輪車１の後輪１０は、エンジン５の左右後端部から後方に延びた左右のスイングアーム１１により支持される。その後輪１０を支持するスイングアーム１１の部分と、メインフレーム４の中間部から後方に延びるシートフレーム１２との間には、自動二輪車１のシートを支持する左右のリアクッションユニット１３が設けられる。
【００２１】
エンジン５は、クランク軸及び変速機を一体に収容するクランクケース１４を備え、メインフレーム４とダウンフレーム７との間に配置される。スイングアーム１１の前端部は、クランクケース１４に設けられたピボット軸１５に対して回転自在に取り付けられる。エアクリーナ６とエンジン５との間は、コネクティングチューブ１６、スロットルボディ１７及び吸気管１８を経て、これらにより構成される吸気通路で接続される。
【００２２】
図２に示すように、メインフレーム４は中間部で下方に曲折しており、中間部から後方側が前方側よりもより急な角度で下方に延びている。
【００２３】
図３に示すように、メインフレーム４は、自動二輪車１の左側に位置する左メインプレート１９及び右側に位置する右メインプレート２０を備える。左メインプレート１９及び右メインプレート２０は、メインフレーム４の前端部から中間部にわたって相互に溶接されて前部中空部２１を形成し、該中間部から左右にＵ字状に分離してメインフレーム４の後端部に至る。
【００２４】
このような形状を有するように、左メインプレート１９及び右メインプレート２０は、金属プレート材をプレス加工して得られたものであり、全長にわたって横断面がそれぞれ左右に凹んだ形状を有する。
【００２５】
また、メインフレーム４は、その中間部から後端部にかけて左メイン下部プレート２２及び右メイン下部プレート２３を有する。左メイン下部プレート２２は、左メインプレート１９の右側に溶接され、前部中空部２１から連続する後部左中空部２４を左メインプレート１９との間で形成する。右メイン下部プレート２３は、右メインプレート２０の左側に溶接され、前部中空部２１から連続する後部右中空部２５を右メインプレート２０との間で形成する。
【００２６】
左メイン下部プレート２２及び右メイン下部プレート２３は、左メインプレート１９及び右メインプレート２０のＵ字状に分離した部分に沿って上端部が湾曲した形状を有するように、プレス加工で成形される。左メイン下部プレート２２及び右メイン下部プレート２３は、別体として構成されるが、これらの上端縁は、相互に溶接される。
【００２７】
上述した図１中のスロットルボディ１７からエンジン５に延びた吸気管１８は、左メイン下部プレート２２と右メイン下部プレート２３との間を通るように配置される。すなわち、上述のエアクリーナ６とエンジン５との間を接続する吸気通路は、左メイン下部プレート２２と右メイン下部プレート２３との間を通る。
【００２８】
左メイン下部プレート２２及び右メイン下部プレート２３の後端部には、それぞれ左右方向に長いボルト孔を有する左円筒状部材２６及び右円筒状部材２７が取り付けられる。エンジン５の後端側は、メインフレーム４により左円筒状部材２６及び右円筒状部材２７を介して支持される。
【００２９】
メインフレーム４の中間部には、自動二輪車１の後端部近傍まで延びたシートフレーム１２の前端部が接続される。シートフレーム１２は、その左右方向における外面を構成するようにプレス加工で成形された左外側シートプレート２８及び右外側シートプレート２９を備える。
【００３０】
図４に示すように、左外側シートプレート２８は、プレス成形により左方に凹んだ形状を有し、前半部分の内側に、左前内側プレート３０が接合され、後半部分の内側に左後内側プレート３１が接合されて、これらのプレートとともに中空空間を形成する。これらの接合は、レーザビーム溶接で行われる。
【００３１】
同様に、右外側シートプレート２９は、プレス成形により右方に凹んだ形状を有し、前半部分の内側に、右前内側プレート３２が接合され、後半部分の内側に右後内側プレート３３が接合されて、これらのプレートとともに中空空間を形成する。
【００３２】
左前内側プレート３０及び右前内側プレート３２は、前端部が扁平で、その後ろ側から後端縁に至るまで、それぞれ左方及び右方にやや凹んだ形状を有するように、プレス加工で形成される。左後内側プレート３１及び右後内側プレート３３は、前端縁から後端部に至るまで、それぞれ左方及び右方にやや凹んだ形状を有するようにプレス加工で形成される。
【００３３】
左前内側プレート３０の後端部及び左後内側プレート３１の前端部は、重ね代３４を介して接続される。右前内側プレート３２及び右後内側プレート３３も同様である。左前内側プレート３０及び右前内側プレート３２の前端部は、それぞれ左メインプレート１９及び右メインプレート２０の中間部における外側の側壁に溶接される。
【００３４】
左前内側プレート３０及び右前内側プレート３２の前側の内側には、これらを連結する主クロスプレート３５ａ及び前部クロスプレート３５ｂの両端縁が溶接により接続される。左前内側プレート３０及び右前内側プレート３２の後側（シートフレーム１２の中央部）の上端側には、これらを連結する中央クロスプレート３６の両端縁が溶接により接続される。左後内側プレート３１及び右後内側プレート３３の後部の上端側には、これらを連結する後部クロスプレート３７の両端縁が溶接により接続される。
【００３５】
シートフレーム１２の中央からその後方側にかけて、図２のように上下方向の幅が大きくなっており、その部分に左クッションボルト３８及び右クッションボルト３９が設けられる。左クッションボルト３８は、左外側シートプレート２８及び左後内側プレート３１に貫通させてこれらに溶接される。
【００３６】
図１のように、左クッションボルト３８には、左側のリアクッションユニット１３の上端部が取り付けられる。右クッションボルト３９も同様にして右外側シートプレート２９及び右後内側プレート３３に溶接され、右側のリアクッションユニット１３の上端部が取り付けられる。
【００３７】
図２のように、シートフレーム１２の中央部とメインフレーム４下端部の左円筒状部材２６及び右円筒状部材２７との間に、左サブフレーム４０及び右サブフレーム４１が取り付けられる。左サブフレーム４０及び右サブフレーム４１は、パイプ材を用いて形成される。
【００３８】
シートフレーム１２の左外側シートプレート２８と左後内側プレート３１との間には、左サブフレーム４０の一端を挿入するための孔が構成されるように、それぞれ挿入方向に沿って左右に凹んだ部分が設けられる。左サブフレーム４０の一端部は、この孔に挿入され、孔の入り口部分を溶接することにより固定される。他端部は、メインフレーム４の左円筒状部材２６の側面に溶接される。
【００３９】
右サブフレーム４１も同様にして、シートフレーム１２の右外側シートプレート２９と右後内側プレート３３との間の孔に一端が固定され、他端はメインフレーム４の右円筒状部材２７の側面に溶接される。
【００４０】
ダウンフレーム７は、横断面がそれぞれ左右に凹んだ形状を有するように板状の金属プレート材をプレス加工し、端部接合して中空状に形成される。
【００４１】
具体的には、図６Ａ、図６Ｂ及び図７〜図９に示すように、ダウンフレーム７は、板状部材としての金属プレート材を曲げることにより、前面（前壁）７Ｆ、後面（後壁）７Ｂ及び左右の側面（側壁）４２、４３が一体的に形成される。そして、後面７Ｂの端部をその端縁に沿って溶接することにより端部接合し、内部に中空部Ｃが形成される。
【００４２】
前面７Ｆには、上下方向に沿って凹部７Ｆａが形成され、ダウンフレーム７の剛性を高めている。また、ダウンフレーム７の前面７Ｆと左右の側面４２、４３との境界部には、ダウンフレーム７の長手方向に延びる凹部７Ｆｂが形成され、さらに剛性が高められている。
【００４３】
ダウンフレーム７の下端部は、その左右の側面（側壁）４２、４３が下方に延びて左延出部４４及び右延出部４５を形成する。図１のように、エンジン５は、その前部が左延出部４４及び右延出部４５によって支持される。
【００４４】
図５に示すように、左延出部４４及び右延出部４５の内側には、その延出方向に開いたＵ字状の補強プレート４６が接合される。補強プレート４６は、左延出部４４及び右延出部４５の内面に接している両側の側板部４７と、これらを連結している底板部４８と、両側の側板部４７に設けた左右のリブ部４９とを有する。
【００４５】
左右のリブ部４９は、左延出部４４及び右延出部４５におけるエンジン５前部を支持する側の端縁に沿って各側板部４７の端縁を外側に曲げて形成される。底板部４８は、ダウンフレーム７の下端部の開口を閉塞するように構成される。左延出部４４及び右延出部４５にエンジン５の前部を取り付ける際に、リブ部４９の形成時に形成された曲げ部４９ａがガイドとなって、左延出部４４と右延出部４５との間にエンジン５の前部をスムーズに挿入できるので、取付けが容易になる。
【００４６】
補強プレート４６は、側板部４７の下辺に沿った方向に、両側板部４７間の間隔Ｈ（底板部４８の幅）が漸次小さくなるようにはみ出したはみ出し部５０を有する。すなわち、側板部４７間の間隔Ｈは、エンジン取付け側の幅Ｈ１よりも底板部４８側の幅Ｈ２の方が狭くなるように形成される。また、はみ出し部５０とダウンフレーム７の左右の側面４２、４３及び前面７Ｆとの境界部分が溶接されて溶接部５１が形成される。
【００４７】
溶接部５１のうち、補強プレート４６の前面とダウンフレーム７の前面７Ｆとが接合している部分は、下方に湾曲するように溶接された湾曲溶接部５１Ａを形成している。これにより、溶接部５１の溶接長が長くなるので、溶接部５１による接合部の剛性を高めることができる。
【００４８】
ダウンフレーム７の左右の側面４２、４３の左延出部４４及び右延出部４５の部分には、それぞれプラグ溶接用の貫通孔５２が設けられる。これらの貫通孔５２を介して、左延出部４４及び右延出部４５と補強プレート４６の両側板部４７とがプラグ溶接により接合されてプラグ溶接部５２Ａが形成される。
【００４９】
左延出部４４、右延出部４５及び両側板部４７には、エンジン５（パワーユニットＰ）の前部を取り付けて支持するためのパワーユニット支持部としての取付孔５３が左右に３つずつ設けられる。すなわち、左延出部４４、右延出部４５及び補強プレート４６は、エンジン５を支持するためのエンジンハンガを構成している。
【００５０】
ダウンフレーム７の左右の側面４２、４３には、左延出部４４及び右延出部４５の手前に、それぞれ凹部５４が形成される。これにより、ダウンフレーム７の振動防止や強度増大が図られる。なお、本実施例においては、凹部５４は、その外面側がダウンフレーム７内の中空部Ｃの側に窪む凹部であるが、内面側が中空部Ｃの外側に向けて窪む凹部（外方に向けて凸）であってもよい。
【００５１】
図２に示すように、ダウンフレーム７の左右の側面４２、４３の上端部は、ヘッドパイプ３に対し、その軸線方向に沿って分けた後半部分を囲うように接する。そして、ヘッドパイプ３に対して、該プレートの端縁が溶接され、これによりダウンフレーム７の上端部が固定される。この固定を補強するために、ガセットプレート５５が、ダウンフレーム７のヘッドパイプ３下方に隣接した部分から、ヘッドパイプ３の下端部にかけて、溶接により接合される。
【００５２】
ダウンフレーム７のヘッドパイプ３と反対側の面（後面）は弓状に湾曲して下方に延びており、また、この面の反対側の面（前面）は、ヘッドパイプ３の下端部から直線状に下方に延びている。このため、ダウンフレーム７の上端部近傍のヘッドパイプ３に接続した部分及び下端部近傍は、これらの間の部分よりも前後方向の寸法が大きい。
【００５３】
メインフレーム４の前端部はダウンフレーム７の上端部の外側に一部が嵌合し、メインフレーム４の前端縁がダウンフレーム７に対して溶接により接合される。メインフレーム４は、その上面がダウンフレーム７のヘッドパイプ３と交差する上端面と１つの平面をなすようにして、ヘッドパイプ３の近傍から後方かつ下方に延びている。すなわち、ダウンフレーム７の上端部は、メインフレーム４の前端部を実質的に構成している。
【００５４】
ダウンフレーム７とメインフレーム４とが交差してヘッドパイプ３に接続している部分の内側は、９０度に近い鋭角を成している。この鋭角を成している部分には、左右方向に見てほぼ三角形状をなしている左右のパッチプレート５６が、ダウンフレーム７及びメインフレーム４の各側面にわたって設けられる。各側面上のパッチプレート５６の端縁は、溶接により各側面に接合される。また、左右のパッチプレート５６は、該鋭角の対辺側が内側に曲げられて相互に溶接により接合される。これにより、ダウンフレーム７及びメインフレーム４の上端部は相互に強固に結合される。
【００５５】
この構成において、自動二輪車１にエンジン５を取り付ける際には、エンジン５のクランクケース１４における後部上端部の貫通孔を有する取付け部がメインフレーム４端部の左円筒状部材２６及び右円筒状部材２７に取り付けられる。この取付けは、クランクケース１４の取付け部を左円筒状部材２６及び右円筒状部材２７間に配置し、これらの間を、ボルトを通して締結することにより行われる。
【００５６】
また、クランクケース１４の前部上端部及び前部下端部に設けられた貫通孔を有する取付け部が、左延出部４４及び右延出部４５に取り付けられる。この取付けは、クランクケース１４の各取付け部の貫通孔を、左延出部４４及び右延出部４５の対応する取付孔５３の間に配置し、これらの貫通孔及び取付孔５３にボルトを通して締結することにより行われる。
【００５７】
このとき、左延出部４４及び右延出部４５に対するクランクケース１４の各取付け部の配置は、左延出部４４及び右延出部４５相互間の幅が延出方向に向かって漸次大きくなっているので、容易に行われる。
【００５８】
なお、左延出部４４及び右延出部４５の取付孔５３のうちの中間に位置するものは、ここでは使用されない。この使用されない取付孔５３は、異なる種類のエンジンを取り付ける場合に使用することができる。
【００５９】
エアクリーナ６は、メインフレーム４、シートフレーム１２及び左・右サブフレーム４０及び４１で囲まれた空間の後ろ寄りに取り付けられる。スロットルボディ１７は、該空間の前部上端寄りに取り付けられる。したがって、スロットルボディ１７とエアクリーナ６との間を接続するコネクティングチューブ１６は、該空間内に配置される。
【００６０】
また、スロットルボディ１７からの吸気管１８は、メインフレーム４の左メイン下部プレート２２と右メイン下部プレート２３との間を経てエンジン５に接続される。したがって、コネクティングチューブ１６、スロットルボディ１７、吸気管１８等で構成される吸気通路は、左メイン下部プレート２２と右メイン下部プレート２３との間を通る。すなわち、吸気通路は、メインフレーム４の内側を直線的に通過するように配置される。
【００６１】
以上のように、本実施形態によれば、エンジン５への吸気通路が、左メイン下部プレート２２と右メイン下部プレート２３との間を通るので、吸気通路を、従来のプレスフレーム製のメインフレームの場合のようにこれを迂回させる場合に比べて、直線的に構成することができる。したがって、従来のプレスフレーム製の車体フレームを有する自動二輪車よりも、エンジン５への吸気効率を向上させることができる。
【００６２】
また、左メイン下部プレート２２及び右メイン下部プレート２３を別体としてプレス加工で形成したので、これらを一体的にプレス加工して形成する場合に比べて、プレス加工に使用する金型を小型のもので構成することができる。
【００６３】
また、左メイン下部プレート２２及び右メイン下部プレート２３を別体として構成したので、これらについて、メインフレーム４中間部の二股に分かれた部分に対応する曲げ加工を容易に行うことができる。すなわち、１枚のプレート材に曲げ加工を施して左メイン下部プレート２２及び右メイン下部プレート２３を構成する場合に比べて、曲げ加工の範囲を左メイン下部プレート２２及び右メイン下部プレート２３用の各プレート材端部の範囲に減少させることができるので、その分、曲げ加工を簡単に行うことができる。
【００６４】
また、メインフレーム４の部左右の円筒状部材２６及び２７を介してエンジン５の後部が支持されるので、エンジン５の後部を支持するためのエンジンハンガを不要とすることができる。
【００６５】
また、メインフレーム４の下端部に接続される左右のサブフレーム４０及び４１が、シートフレーム１２とは別体のパイプフレームで構成されるので、シートフレーム１２自体は、ほぼ直線状のものとしてプレート材を切断加工することにより形成することができる。
【００６６】
したがって、左右のサブフレーム４０及び４１を、シートフレーム１２から二股状に分岐した部分としてシートフレーム１２と一体的にプレート材を切断加工して形成する場合に比べて、プレート材を切断加工することにより生じる廃材を減少させることができる。
【００６７】
以上、本発明の実施形態を説明したが、本発明はこれに限定されない。例えば、メインフレーム４を構成する左メイン下部プレート２２及び右メイン下部プレート２３は、１枚のプレートをU字状に屈曲させた一体物として形成してもよい。
【符号の説明】
【００６８】
１…自動二輪車、３…ヘッドパイプ、４…メインフレーム、５…エンジン、６…エアクリーナ、１２…シートフレーム、１６…コネクティングチューブ（吸気通路）、１７…スロットルボディ（吸気通路）、１８…吸気管（吸気通路）、１９…左メインプレート、２０…右メインプレート、２１…前部中空部、２２…左メイン下部プレート、２３…右メイン下部プレート、２４…後部左中空部、２５…後部右中空部、２６…左円筒状部材、２７…右円筒状部材、４０…左サブフレーム、４１…右サブフレーム。
【図１】
0006316328.tif 000002
【図２】
0006316328.tif 000003
【図３】
0006316328.tif 000004
【図４】
0006316328.tif 000005
【図５】
0006316328.tif 000006
【図６Ａ】
0006316328.tif 000007
【図６Ｂ】
0006316328.tif 000008
【図７】
0006316328.tif 000009
【図８】
0006316328.tif 000010
【図９】
0006316328.tif 000011